(57)【要約】  本発明は、ターゲット表面から材料を吹き付けることが可能で、吹き付けられた材料が、高い割合のイオンの形態で存在するマグネトロンスパッタリング方法に関する。これは、本発明によれば、単純な発電機を用いて達成されるが、その発電機の電力は、複数の時間間隔に分けられて、複数のマグネトロンスパッタ源中に給電され、すなわち、１つのスパッタ源が、ある時間間隔で最大の電力で給電され、次のスパッタ源は、それに続く時間間隔に最大電力で給電される。このようにして、０．２Ａ／ｃｍ２を上回る放電電流密度が実現される。スイッチが切られている間は、スパッタリングターゲットは、冷却することができ、その結果温度限度を上回ることがない。
2014514452.tif 000002
【特許請求の範囲】
【請求項１】
少なくともいくつかの領域で局所的に０．２Ａ／ｃｍ２を上回る放電電流密度のプラズマ放電を発生させる方法であって、
・所定の最大電力を有する給電ユニットを提供する工程と、
・それぞれ所定のレーストラックと所定の温度限界とを有する少なくとも２つのマグネトロンスパッタ源を提供する工程であって、前記給電ユニットの最大電力が前記マグネトロンスパッタ源のそれぞれに作用する際には、前記放電電流密度が、０．２Ａ／ｃｍ２を上回るように前記レーストラックが小さく選択される工程と、
・前記給電ユニットを用いて、前記少なくとも２つのマグネトロンスパッタ源のうちの第１スパッタ源中に、第１時間間隔の間、第１電力を給電する工程であって、前記第１電力が十分大きく選択されていて、その結果前記マグネトロンスパッタ源に、少なくとも１つの領域で、局所的に０．２Ａ／ｃｍ２を上回る放電電流密度が発生し、かつ、前記第１時間間隔が十分に短く選択されていて、その結果、前記第１マグネトロンスパッタ源の前記所定の温度限界を上回ることがない、工程と
・前記給電ユニットを用いて、前記マグネトロンスパッタ源のうちの第２スパッタ源中に、第２時間間隔の間、第２電力を給電する工程であって、前記第２電力が十分大きく選択されていて、その結果前記第２マグネトロンスパッタ源に、少なくとも１つの領域で、局所的に０．２Ａ／ｃｍ２を上回る放電電流密度が発生し、かつ、前記第２時間間隔が十分に短く選択されていて、その結果、前記第２マグネトロンスパッタ源の前記所定の温度限界を上回ることがない、工程と
を含む方法において、
前記給電ユニットは、互いにマスタースレーブ構成で接続されている少なくとも２つの発電機を含み、前記双方の時間間隔は完全には重複しない
ことを特徴とする方法。
【請求項２】
それぞれ所定のレーストラックとそれぞれ所定の温度限界とを有する第３のおよび好ましくはさらなるマグネトロンスパッタ源が提供され、前記給電ユニットの最大電力が前記マグネトロンスパッタ源のうちのそれぞれに作用する際には、前記放電電流密度が０．２Ａ／ｃｍ２を上回り、かつ、スレーブ発電機とマスター発電機との数が、少なくとも前記マグネトロンスパッタ源の数以上である発電機の数になるように、多くのスレーブ発電機を前記給電ユニットが有するように、前記レーストラックが設計されていることを特徴とする請求項１に記載の方法。
【請求項３】
前記時間間隔は、周期的に反復する間隔を合わせた間隔で、したがって、周期的なパルスを形成することを特徴とする請求項１および２のいずれか１項に記載の方法。
【請求項４】
前記マグネトロンスパッタ源の前記ターゲットのうちの少なくとも１つの後方には、可動で好ましくは回転する磁石システムが設けられていて、前記磁石システムが、移動するレーストラックを発生させ、前記レーストラックの広がりは、前記ターゲット表面よりも明らかに小さいが、しかし、前記ターゲット表面の２０％を上回ることを特徴とする上記請求項のいずれか１項に記載の方法。
【請求項５】
２つ以上のマグネトロンスパッタ源と１つの給電ユニットとを備えたマグネトロンスパッタリング設備であって、前記給電ユニットが、少なくも前記マグネトロンスパッタ源の数に対応する数の発電機と、ある手段とを有し、
前記手段は、一方では、前記給電ユニット中に存在する発電機を、１つのマスターと少なくとも１つのスレーブとを有する発電機として構成することができ、このように構成された給電ユニットの電力を、順次前記グネトロンスパッタ源にかけることができる回路が設けられていて、
前記手段は、他方では、給電ユニットを、若干数の絶縁した発電機として構成することができ、前記回路により、それぞれ少なくとも１つの発電機の前記電力を、各１つのマグネトロンスパッタ源にもたらすことができる
マグネトロンスパッタリング設備。
【発明の詳細な説明】
【技術分野】
【０００１】
本発明は、マグネトロン吹き付けにより、基板をコーティングする方法に関する。
本明細書の枠内では、「スパッタリング（Ｓｐｕｔｔｅｒｎ）」と「吹き付け（Ｚｅｒｓｔａｅｕｂｅｎ）」とを同義の用語として使用する。
【背景技術】
【０００２】
スパッタリングでは、ターゲット（カソード）にイオンが発射され、これにより、ターゲットから材料が削り取られる。プラズマからターゲット表面方向へのイオンの加速は、電界により達成される。マグネトロンスパッタリングでは、ターゲット表面上に磁場が作られる。このようにして、プラズマ中の電子が螺旋軌道上に入れられ、ターゲット表面上を循環する。経路をより長くすることにより、電子と、原子ないしイオンとの衝突の数が著しく多くなり、ターゲット表面上のこの領域におけるイオン化の程度がより高くなる。これにより、この領域直下におけるターゲット上のスパッタリング削り取りが大きくなる。これにより、マグネトロンスパッタリングにおいて典型的である侵食溝が、この上にあるレーストラックにより生じる。この種の侵食溝には、ターゲットの広い領域が実質的に削り取られないという欠点がある。しかし、ターゲットの材料はしばしば高価な材料である。したがって、ターゲット後方にある磁場を作る磁石システムは、図１に図示されているように、腎臓形状のレーストラックになるように設計されている場合がしばしばある。円形カソードの場合には、この磁石システムは、円形カソードの中央軸の周りを回転し、その結果、実質的に、ターゲット材料は同じ形状で削り取られる。しかし、削り取られる材料が、非常にわずかの割合しかイオン化されないという従来のスパッタリングの欠点が残る。
【０００３】
本発明は、特に、ＨＩＰＩＭＳ（ＨＩＰＩＭＳ＝高出力パルスマグネトロンスパッタリング）方法に関する。ＨＩＰＩＭＳは、従来のスパッタリングをさらに発展させた方法であって、パルス幅がマイクロ秒〜ミリ秒の範囲で、かつ電力密度が１００Ｗ／ｃｍ２以上であるパルス様の放電の作用を利用する方法である。新しいＨＩＰＩＭＳ技術では、従来のスパッタリングの大きな欠点、すなわち、スパッタリングされた原子のイオン化が非常にわずかであるという欠点は取り除かれる。したがって、ＨＩＰＩＭＳ技術により、材料によっては、スパッタリングされた粒子の１００％までのイオン化が達成可能であると従来技術では示されている。
【０００４】
この場合、ターゲットに作用する放電電力密度を少なくとも短時間の間大きくすることにより、イオン化の程度を高める。イオン化の程度が高くなることにより、層の成長機構を変えることができ、したがって、層特性に影響を与える。とりわけ、これにより固着強度がより高められる。
【０００５】
典型的に用いられる平均的な電力密度は、従来のスパッタリングにおいてもＨＩＰＩＭＳにおいても、２０Ｗ／ｃｍ２の範囲である。負荷が高い場合には、特種なターゲット冷却装置を用いて、５０Ｗ／ｃｍ２にまでなる。これに対応する放電電流密度は、０．２Ａ／ｃｍ２までの範囲である。プラズマ物理と電子技術との観点から、電力密度をはるかにより高くし、したがって、放電電流密度をより高くしても問題はない。しかし、実質的には、ターゲット冷却には技術的限界が設定されていることにより、スパッタリングターゲット上で適用可能な平均的な電力は限定されている。このために、ＨＩＰＩＭＳ方法では、パルス形態でのスパッタ電力がかけられ、この際に、ターゲット上に作用する平均的な電力が原因で過剰温度にならないように、パルス幅は短く選択される。この場合に、ターゲット温度および許容可能な最大ターゲット温度が、ターゲット材料と、その熱伝導性と、その機械的な特性とに非常に強く依存することは明らかである。
【０００６】
この場合の欠点は、パルス技術的に、機械のコストが大きくなるという点であるが、この理由は、時間的にも空間的にも、電力をスパッタリング電力パルスに分けることができる発電機を用いなければならないからである。これは、従来の発電機の技術では達成されない。
【０００７】
この欠点を回避するために、従来技術では、ターゲットの全サイズに比較して、明らかに小さいレーストラックに移行して、このレーストラックをターゲット表面上で漂わせるということが提案されている。例えば、ワング他（Ｗａｎｇ  ｅｔ  ａｌ）の米国特許第６，４１３，３８２号明細書中には、ターゲット表面の２０％未満を被覆するマグネトロンになる磁石システムが提案されている。この磁石システムは、ターゲット表面の後方で回転可能に取り付けられていて、その結果、レーストラックが、実質的にターゲット表面全体を網羅することができる。確かに、この方策により発電機を単純化するが、しかし、パルス技術を完全に放棄することはできない。これに応じて、パルス／休止期間の割合は、１０％未満に定められる。
【０００８】
然るに、この場合の欠点は、これに応じて設計された機器がＨＩＰＩＭＳへの適用にのみ適しているという点である。レーストラックのサイズを大幅に小さくすることにより、スパッタ率は、相応に小さくなる。ＨＩＰＩＭＳ層と従来のスパッタ層とが交互になりうるべき場合には、従来のスパッタ層に対する従来のスパッタ率も相応に低減されている。
【０００９】
ニーベルク他（Ｎｙｂｅｒｇ  ｅｔ  ａｌ）は、国際公開第０３００６７０３号パンフレット中で、これに類似の方策を提案している。彼らは、スパッタ領域を縮小することにより、放電電流密度をより大きくすると説明している。局所的なより高い加熱を補うために、スパッタ領域は移動する。さらに、ニーベルク他は、産業分野での応用の場合には、表面の溶融を防ぐために、小さくしたスパッタ領域が、高速でターゲット上を移動せねばならないと説明している。この技術により、全ての従来の発電機を投入することが可能になる。これは、１つのターゲットを、電気的に互いに切り離されている複数の部分に分けることにより可能になりうる。以下で、これらの部分を部分ターゲットと称する。この際に、１つの部分ターゲットは、完全に独立したターゲットであるべきで、とりわけ、電力負荷に関して他の部分ターゲットから隔離されていて複数の等しい部分ターゲットの表面が集まって、全ターゲット表面になる。ある時点で、全電力が、これらの部分ターゲットのうちの１つに集中することにより、現時点で吹き付けされる場所を制御することが可能である。これらの部分のスイッチを入れ、切ることにより、部品を可動にすることなく済ませることが可能になる。
【００１０】
ニーベルク他のシステムの欠点は、この種の構造は、従来のマグネトロン・スパッタリング・モードでは作動可能ではないという事実であるが、これは、１つの発電機の電力を、均等に様々な部分に分配することが可能ではない、あるいは、これが技術的に非常にコスト高であるからである。ニーベルク他の方策では、とりわけ、スイッチを入れることができるまたは切ることができる各部分ターゲット上で、固定の侵食溝が生じる点も欠点である。これは、ワング他に記載された回転マグネトロンに比してもターゲットの利用が明らかにより劣悪であることを意味する。
【発明の概要】
【発明が解決しようとする課題】
【００１１】
したがって、コスト高であるパルス発電機技術を使用せずに、ＨＩＰＩＭＳ方法を実施することができ、しかも容易に従来のスパッタリングモードに切り替えることができる機器が利用可能であることが望まれる。
【課題を解決するための手段】
【００１２】
本発明によれば、この課題は、１つのターゲットが電気的に絶縁された複数の独立した部分ターゲットに分けられ、それらが、ＨＩＰＩＭＳモードで、マスター・スレーブ・ユニットとして構成されている給電ユニットにより給電されることにより達成される。マスタースレーブ構成とは、２つ以上の発電機の出力が並列に接続された構成と理解され、発電機のうちの１つ（マスター）において設定されるべき電力が選択され、これ以外の発電機は、マスターにその設定が追随するように電子的に接続されている。好ましくは、少なくとも、電気的に絶縁された個々の部分ターゲットが存在するよう、多くの数の発電機が、マスタースレーブ構成で接続される。ＨＩＰＩＭＳモードでは、個々の部分ターゲットに、その冷却が可能になるような長さだけ電力が伝送される。ＨＩＰＩＭＳモードでは、部分ターゲットは、順次スイッチが入れられ、切られる。したがって、マスタースレーブ構成においては、給電ユニットは決して同時に、全ての部分ターゲットに対して、１００％の電力を提供するには及ばない。このようにして、コスト効率の良い発電機を配備することができる。従来のスパッタリングが行われる場合には、このマスタースレーブ構成は解散し、各部分ターゲットに対して、それ自身の発電機が利用可能になる。その後、１つの部分ターゲットが、１つの発電機により、独立したスパッタ源として作動されうる。マスタースレーブ構成の解散後、部分ターゲットの数までの発電機が利用可能でない場合、いくつかの部分ターゲットが継続的にスイッチを切られたままになりえ、あるいは、スイッチ切断が交互に行われる。このようにして、ＨＩＰＩＭＳモードから従来のスパッタリングモードへ容易に切り替えることが容易に可能になる。
【００１３】
好ましくは、部分ターゲットの後方にそれぞれ可動の磁石システムがあり、これらが、各レーストラックが各部分ターゲット上で漂うように設けられている。設備がＨＩＰＩＭＳモードで作動される場合、本発明によれば、部分ターゲットの後方で好ましくは回転する磁石システムが、ある周波数（この周波数は、好ましくはスパッタ源の繰り返し電力パルスの周波数と有理比率を形成しない）で動く。これにより、確実に、均等の材料がターゲット表面から削り取られる。
【００１４】
以下に、本発明を詳細に、図面に基づいて例示的により正確に説明する。
【図面の簡単な説明】
【００１５】
【図１】図１は、従来技術による従来のスパッタ中で投入されるターゲットの表面を、移動するレーストラックと共に示した図である。
【図２】図２は、電気的に絶縁された複数の部分ターゲットを備えた本発明の第１実施形態を示す図であり、これらの部分ターゲットはそれぞれ１つの移動磁石システムを有し、給電ユニットはマスタースレーブ構成で接続された複数の発電機からなる。
【図３】図３は、電気的に絶縁された複数の部分ターゲットを備えた本発明の第１実施形態を示す図であり、これらの部分ターゲットはそれぞれ１つの移動磁石システムを有し、給電ユニットはマスタースレーブ構成で接続されていない複数の発電機からなり、その結果、各部分ターゲットには、１つの発電機が割り当てられていて、これにより、独立したスパッタ源として作動可能である。
【図４】図４は、電力パルスが５０ミリ秒間作用した後の、様々なターゲット材料の冷却挙動をシミュレーションした図である。
【図５】図５は、アーク放電における分光測定を、本発明のプラズマ放電における分光測定と比較して示した図である。
【図６】図６は、従来のＤＣスパッタプラズマの放電における分光測定を、本発明のプラズマ放電における分光測定と比較して示した図である。
【発明を実施するための形態】
【００１６】
本発明の第１実施形態では、図２中に概略図示するように、スパッタ装置をＨＩＰＩＭＳモードで作動させるために、給電ユニット３が、スイッチＳ１を介して、電圧と電力とを、真空チャンバ４中に配置されたスパッタ源ｑ１に供給する。給電ユニット３は、複数の発電機ｇ１〜ｇ６から構築されていて、これらは、マスタースレーブ構成で接続されている。これは、ＤＣ発電機として、パルスＤＣ発電機として設計されていることができる。スパッタ源ｑ１は、マグネトロンスパッタ源として、部分ターゲットを備えて形成されていて、この実施形態の好適な１変形例によれば、スパッタ源ｑ１の部分ターゲットの後方に、可動で好ましくは回転する磁石システムｍｓ１が設けられている。適用時には、可動で好ましくは回転する磁石システムｍｓ１により、レーストラックが、スパッタ源ｑ１のターゲットのほぼ全面上で動かされる。
【００１７】
真空チャンバ４中には、希ガスおよび／または反応ガス（例えば、Ｎ２、Ｏ２、Ｃ２Ｈ４、Ｃ２Ｈ２）が導かれ、これにより、とりわけ、スパッタ放電用のプラズマを維持することができる。給電ユニット３は、中断されない場合には、ｑ１においてスパッタ源ｑ１の温度限界を上回って存在するスパッタ電力を供給する。しかしこのスパッタ電力は、マグネトロン放電を発生させるのに適していて、この電流密度はマグネトロンのレーストラック面に対して０．２Ａ／ｃｍ２を上回る。
【００１８】
スイッチＳ２〜Ｓ６を介して、電圧と電流とが、真空チャンバ４中に配置されたスパッタ源ｑ２〜ｑ６にかけられる。これらのスパッタ源は、スパッタ源ｑ１と実質的に同じ構造を有している。
【００１９】
全体として個々のスパッタ源に向けられる平均的な電力は、温度限界により与えられる値を上回ることはできない。これを達成するために、順次、所定の時間後に、スパッタ源のスイッチを切り、次のスパッタ源のスイッチを入れ、これがパルス列を導く。全てのスパッタ源が作動すると、再び第１スパッタ源のスイッチが入れられ、周期が新たに始まり、こうして周期的な作動が行われる。ターゲットにおいて最大平均電力を維持することができる所望のパルス列が可能である。
【００２０】
スパッタ源の後方で動く、好ましくは回転する磁石システムは、ある周波数（この周波数は、好ましくはスパッタ源にかけられる繰り返し電力パルスの周波数と有理比率を形成しない）で動く。これにより、ターゲット表面から、確実に均等の材料が削り取られる。
【００２１】
従来のスパッタリングに切り替える場合には、マスタースレーブ構成は放棄される。この場合、各スパッタ源に少なくとも１つの発電機が割り当てられる。対応する構成を図３に示す。発電機の数がスパッタ源の数より多い場合には、余分な数の発電機は、スレーブとして、すでにスパッタ源に割り当てられている発電機に付属することができる。
【００２２】
発電機の数がスパッタ源の数より少ない場合には、余分な数のスパッタ源は、利用されないか、あるいは、様々なスパッタ源に順次、周期的に電力休止期間を課されることができ、その結果、電力休止期間の間、ある発電機を休止させる。
【００２３】
具体的な実施例では、例えば、２ＤＣ発電機（それぞれ２０ＫＷのＡＥ  ピナクル（Ｐｉｎａｃｌｅ））が、マスタースレーブ構成で相互接続された。最大スパッタ電力としては、したがって、４０ｋＷが利用可能であった。図１に示したようなタイプの、ターゲット径１５０ｍｍの円形マグネトロンを用いた。時間設定可能な４０ｋＷのスパッタ電力のパルスを、ターゲットに接続した。この大きさのターゲットは、平均約５ｋＷがこのターゲットにかけられた際に、温度限界に達する。ターゲット材料に依存する表面温度の時間経過の算出を図４中に示す。上述のマグネトロンを用いる際に、４０ｋＷのパルス電力に対して、レーストラック表面に対して６００Ｗ／ｃｍ２の電力密度が予想されうる。放電電圧が６００Ｖである場合には、これにより、１．６７Ａ／ｃｍ２の電流密度が達成される。図４の有限要素シミュレーションが示すように、スパッタ電力密度が１０００Ｗ／ｃｍ２で、パルス幅が５０ミリ秒では、銅またはアルミニウムについては、約５０℃〜１００℃の温度上昇のみを予想することができ、チタンについては約３５０℃の温度上昇を予想することができる。しばしば言及した表面の溶融および気化は、シミュレーションにより結論付けられるように、除外することができる。
【００２４】
５０ミリ秒のパルス幅後に、等しい構造を有するさらなる円形マグネトロンに全電力が給電される。本実施例による構造中では、真空チャンバ６は、等しい構造の円形マグネトロンを複数個含み、これらが、それぞれ順次接続される。３００ミリ秒の時間間隔の後で、第１円形マグネトロンが再び接続される。複数の円形マグネトロンは、真空チャンバ中で、円形状で、コーティングされるべき基板が載置されている回転台の周りに配置されていることができる。個々の円形マグネトロンのスイッチを入れるのは、回転台の回転方向とは逆の順序で行うことが可能で、これにより、回転台のより速い回転がシミュレーションされる。
【００２５】
ターゲット表面の後方にある磁石システムは、１８０回／分の頻度で回転する。これは、３００ミリ秒毎に生じるパルス繰り返しの場合には、双方の周波数が有理比率を形成しないことを意味する。
【００２６】
本発明の構成によれば、短時間（例えば、５００マイクロ秒）で、放電電流が非常に上昇し、これが、全パルス幅の間、安定レベルに保たれる。ＨＩＰＩＭＳ方法において高周波数のパルスが原因で典型的に生じるような不都合な一時的な事象は、本発明による方法においては回避される。これは、本発明の方法では、パルス幅は数ミリ秒であり、一時的な事象は無視されうるからである。
【００２７】
本発明の方法の第２の実施例では、上述のシステムに、４０ｋＷのパルス電力および１０ミリ秒のパルス幅が、１０Ｈｚの繰り返し周波数でかけられた。これより、円形マグネトロン毎に４ｋＷの平均電力が生じた。この場合、１０個までの円形マグネトロンを、真空チャンバ中に組み入れることができ、これらは全て、上述のマスタースレーブ構成により給電されうる。放電プラズマを分光評価し、アーク蒸発のプラズマと比較した。本実施例では、ターゲットはチタンターゲットであった。図５は、双方のスペクトルを比較して示したものであり、これらの双方のスペクトルは、それぞれ３６５．３５ｎｍのＴｉ（０）の線の強度に正規化されている。双方の放電は、３３６．１２ｎｍおよび３６８．５２ｎｍのＴｉ＋について、および、この図中では分解されていない２重線３７５．９３ｎｍと３７６．１３２ｎｍのＴｉ＋について、強い光放射を示す。これにより、本発明によるスパッタリング方法では、ターゲットから削り取られる材料が、アーク蒸発に匹敵可能なほどに高い程度にイオン化されるという結論が導かれうる。
【００２８】
第３実施例によれば、ターゲット材料として、チタン−アルミニウムを用いたが、割合はＴｉが５０ａｔ％で、Ａｌが５０ａｔ％であった。本発明の方法を従来のスパッタリング技術と比較するために、従来のスパッタリングコーティングのプラズマと、本発明の方法のプラズマとを、分光記録し、互いに比較した。従来のスパッタリングコーティングについては、図３に示したような構成を用いた。実験には、２ＤＣ発電機のみが利用可能であったので、１つのスパッタ源がそれぞれ１つの発電機により給電され、すなわち、同時に２つのスパッタ源が給電され、所定の時間間隔後に、順次電力がこれ以外の２つのスパッタ源に向けられた。しかるべき比較を図６に示す。双方の場合共に、平均スパッタ電力は４ｋＷであった。スペクトルは、３９４．４ｎｍおよび３９６．１５ｎｍのＡｌ（０）の線に正規化された。従来のＤＣ放電の場合には、Ａｌ＋のイオンでは、３９０．０７ｎｍで、Ｔｉ＋では２重線である３７５．９３ｎｍおよび３７６．１３２ｎｍならびに３６８．５２ｎｍおよび３３６．１２ｎｍがほぼ欠如している点が顕著である。本発明の方法では、ターゲットから削り取られる材料のイオン化の程度が高いという結論も可能である。
【００２９】
本発明のさらなる実施形態によれば、この方法は、デュアルマグネトロン方法として設計される。この場合、スパッタ電力が、数マイクロ秒の１パルスの間停止して、典型的には２０〜６０ｋＨｚの交互周波数で少なくとも２つのスパッタリングマグネトロン間で交代し、ターゲット表面は交互にカソードまたはアノードになる。ターゲットの熱負荷を上回らないために、マグネトロン対にかけられる電力は、それぞれ、時間的に限定されているが、これは、パルス後にさらなるマグネトロン対に切り替えられることにより行われる。
【００３０】
全ての実施例について、円形カソードに基づいて説明を行った。しかし、当業者には、同じ発明の概念が容易に矩形カソードに転用されうることもただちに明らかである。本発明の特別な利点は、例えば４０ｋＷの全電力をコーティングチャンバに入れることができる単純なＤＣ発電機を用いることができ、これに基づいて、発電機と個々のスパッタ源との本発明による接続を行うことで、同時に、スパッタ方法の枠内では通常非常に複雑なパルス発電機のみで達成可能であるようなイオン化の程度を達成することができるという点である。本発明の好適な実施形態では、スパッタリングターゲットの後方でそれぞれ、動く磁場システムが設けられていて、これが、レーストラックのターゲット上の移動をもたらすように設けられている。
【００３１】
本発明の方法および本発明の機器により、高イオン濃度を導く本発明のスパッタを、低イオン濃度を有する従来のスパッタに容易に切り替えることができる。
【００３２】
本明細書の範囲では、少なくともいくつかの領域で局所的に０．２Ａ／ｃｍ２を上回る放電電流密度のプラズマ放電を発生させる方法が開示されていて、
・所定の最大電力を有する給電ユニットを提供する工程と、
・それぞれ所定のレーストラックと所定の温度限界とを有する少なくとも２つのマグネトロンスパッタ源を提供する工程であって、給電ユニットの最大電力がマグネトロンスパッタ源のそれぞれに作用する際には、放電電流密度が、０．２Ａ／ｃｍ２を上回るようにレーストラックが小さく設計される工程と、
・給電ユニットを用いて、少なくとも２つのマグネトロンスパッタ源のうちの第１スパッタ源中に、第１時間間隔の間、第１電力を給電する工程であって、第１電力が十分大きく選択されていて、その結果マグネトロンスパッタ源に、少なくとも１つの領域で、局所的に０．２Ａ／ｃｍ２を上回る放電電流密度が発生し、かつ、第１時間間隔が十分に短く選択されていて、その結果、第１マグネトロンスパッタ源の所定の温度限界を上回ることがない、工程と
・給電ユニットを用いて、マグネトロンスパッタ源のうちの第２スパッタ源中に、第２時間間隔の間、第２電力を給電する工程であって、第２電力が十分大きく選択されていて、その結果第２マグネトロンスパッタ源に、少なくとも１つの領域で、局所的に０．２Ａ／ｃｍ２を上回る放電電流密度が発生し、かつ、第２時間間隔が十分に短く選択されていて、その結果、第２マグネトロンスパッタ源の所定の温度限界を上回ることがない、工程と
を含む方法において、
給電ユニットは、互いにマスタースレーブ構成で接続されている少なくとも２つの発電機を含み、双方の時間間隔は完全には重複しない
ことを特徴とする方法である。
【００３３】
それぞれ所定のレーストラックとそれぞれ所定の温度限界とを有する第３のおよび好ましくはさらなるマグネトロンスパッタ源を提供することができ、この場合に、給電ユニットの最大電力がマグネトロンスパッタ源のうちのそれぞれに作用する際には、放電電流密度が０．２Ａ／ｃｍ２を上回り、かつ、スレーブ発電機とマスター発電機との数が、少なくとも前記マグネトロンスパッタ源の数以上である発電機の数になるように、多くのスレーブ発電機を給電ユニットが有するように、レーストラックが設計されている。
【００３４】
上述の時間間隔は、周期的に繰り返す間隔を合わせた間隔でありえ、したがって、周期的なパルスを形成することができる。
【００３５】
マグネトロンスパッタ源のターゲットのうちの少なくとも１つの後方には、可動で好ましくは回転する磁石システムが設けられていることができ、この磁石システムが、移動するレーストラックを発生させ、レーストラックの広がりは、ターゲット表面よりも明らかに小さいが、しかし、ターゲット表面の２０％を上回る。
【００３６】
２つ以上のマグネトロンスパッタ源と１つの給電ユニットとを備えたマグネトロンスパッタリング設備が開示され、給電ユニットが、少なくもマグネトロンスパッタ源の数に対応する数の発電機と、ある手段とを有し、この手段は、一方では、給電ユニット中に存在する発電機を、１つのマスターと少なくとも１つのスレーブとを有する発電機として構成することができ、このように構成された給電ユニットの電力を、順次グネトロンスパッタ源にかけることができる回路が設けられていて、この手段は、他方では、給電ユニットを、若干数の絶縁した発電機として構成することができ、この回路により、それぞれ少なくとも１つの発電機の電力を、各１つのマグネトロンスパッタ源にもたらすことができる。
【図１】
2014514452.tif 000003
【図２】
2014514452.tif 000004
【図３】
2014514452.tif 000005
【図４】
2014514452.tif 000006
【図５】
2014514452.tif 000007
【図６】
2014514452.tif 000008
【国際調査報告】
2014514452.tif 000009
2014514452.tif 000010
2014514452.tif 000011
2014514452.tif 000012
2014514452.tif 000013
2014514452.tif 000014